(57)【要約】【課題】音と映像とを鑑賞する空間の形成を容易とすると共に、設置場所への搬入も容易にして、設置場所での組み立てが簡単な見栄えの良いプロジェクタ用スクリーンを提供する。【解決手段】枠本体部材と背面カバー板とにより内部に中空状の内腔部を形成する棒状体の縦枠材２１及び横枠材２５と、縦枠材２１及び横枠材２５の内腔部に嵌挿される挿入部１００を直交する方向に突出させて有する角部材８０とが組み合わされ、四隅に位置する角部材８０の各挿入部１００を各々縦枠材２１や横枠材２５の内腔部に挿入して矩形の枠体を形成し、且つ、枠本体部材の内腔部にスピーカーを内蔵固定し、更に、周囲に複数のフック１３１を有する四角形のスクリーンキャンバス１３０を前記フック１３１により枠体に取り付けたプロジェクタ用スクリーンとする。【選択図】　　図２
2004077737.tif 000002
【特許請求の範囲】
【請求項１】
枠本体部材と平板状の背面カバー板とにより内部に中空状の内腔部を形成した棒状体とされる金属製又は合成樹脂製の縦枠材及び横枠材と、前記縦枠材の内腔部に嵌挿される挿入部と前記横枠材の内腔部に嵌挿される挿入部とを直交する方向に突出させた金属製又は合成樹脂製の角部材とを組み合わせ、四隅に位置する角部材の各挿入部を各々左右の縦枠材や上下の横枠材の内腔部に挿入して矩形の枠体を形成し、且つ、枠本体部材の内腔部にはスピーカーを内蔵し、周囲に複数のフックを有する四角形のスクリーンキャンバスを前記フックにより枠体に取り付けたことを特徴とするプロジェクタ用スクリーン。
【請求項２】
縦枠材及び横枠材は、枠本体部材と平板状の背面カバー板とにより構成される棒状体であって、枠本体部材は、前縁板と前縁板の端部から後方に延びる内縁板とでＬ字状とされ、前縁板の他端部又は他端部近くから後方に湾曲した外縁部を備えることにより断面を略コ字状として内腔部が形成され、断面略コ字状の枠本体部材の開口部分を背面カバー板で塞いで中空状の内腔部を形成していることを特徴とする請求項１に記載したプロジェクタ用スクリーン。
【請求項３】
縦枠材及び横枠材は、その枠本体部材において、内縁板よりも枠体の内側に突出する内縁突出部を有し、この内縁突出部の裏面にスクリーンキャンバスのフックを掛ける係合突起を有することを特徴とする請求項１又は請求項２に記載したプロジェクタ用スクリーン。
【請求項４】
スクリーンキャンバスの周辺に設けられる各フックは、弾性体を介して先端に係合部を有することを特徴とする請求項１乃至請求項３の何れかに記載したプロジェクタ用スクリーン。
【請求項５】
スクリーンキャンバスが、半透明の軟質合成樹脂シートであることを特徴とする請求項１乃至請求項４の何れかに記載したプロジェクタ用スクリーン。
【発明の詳細な説明】
【０００１】
【発明の属する技術分野】
本発明は、プロジェクタによる映像を投影するスクリーンに関するものである。
【０００２】
【従来の技術】
今日、液晶ビデオプロジェクタなどを用いて、４０インチや６０インチ又は１００インチ乃至１２０インチなどの画面に映像を投影することが行われている。この投影機にはビデオデッキを内蔵したプロジェクタ、パーソナルコンピュータのＣＲＴ用画像データを投影可能とするプロジェクタ、更にはレーザーディスクやビデオコンパクトディスクに記憶された画像データやイメージスキャナーなどで読み取った画像データなどに基づいて投影を可能とするプロジェクタなどが用いられ、今日では、家庭や職場などにおいても大画面で映像を鑑賞し、又は映像の観察や検討を行うことが多くなってきた。
【０００３】
そして、この映像を映し出すスクリーンには、ロールスクリーンのように不使用時は巻き取って保管を行うものがあるも、幅１メートル乃至数メートルのロールスクリーンを使用する場合は、スピーカーなどと組み合わせて設置することが必要な場合が多く、スクリーンの近くにスピーカーボックスを配置することが行われている。
【０００４】
又、今日ではフレームを備えたボード型のスクリーンとスピーカーとを組み合わせて投影場所を常設しておくことが多くなってきている。
このボード型スクリーンでは、額縁状の周辺部を備えて見栄えを整えると共に、中央には縦６０センチメートル乃至１８０センチメートル、横８０センチメートル乃至２００センチメートル余りとして、所定の縦横比を備えた横長の長方形平面部を設け、この平面部は、多くの場合、銀白色系のスクリーン部を表面に形成しているものである。
【０００５】
【発明が解決しようとする課題】
前記ボード型スクリーンは、見栄えが良く、壁際などに設置して映像を投影することにより映像を鑑賞する場合に音と映像によって臨場感の高い雰囲気を作り出すことができるも、スピーカーを収納するスピーカーボックスとボード型スクリーンとを組み合わせて設置するに際し、スピーカーボックスの設置場所を決定することが困難な場合があり、又、スピーカーボックスをボード型スクリーンから離れた位置に設置した場合、映像が見える方向と家遺贈に映し出されたものから発せられている音の聞こえる方向が異なり、違和感を与えることもあった。
【０００６】
又、ボード型スクリーンは、映像の投影個所に汚れが生じたときの補修に手数や時間を要することが多く、更に、縦１メートル前後、横１メートル乃至２メートル余りとなるボード型スクリーンは、移送や設置場所への搬入が困難となる場合もあった。
このため、室内の壁面などに余裕がっても、小さ目の画面を備えたボード型スクリーンを設置することもあり、又、映像を表示するスクリーンに対して適切な位置にスピーカーボックスを配置できないこともあり、迫力のある映像及び映像に合わせた良質な音による臨場感のある雰囲気の形成が不十分となることがあった。
【０００７】
本発明は、このような欠点を排除し、音と映像とを合わせた場の形成が容易であり、且つ、スクリーンの交換も容易にして、設置場所への搬入及び設置場所での組み立てが簡単なプロジェクタ用スクリーンを提供するものである。
【０００８】
【課題を解決するための手段】
本発明は、枠本体部材（３０）と平板状の背面カバー板（７０）とにより内部に中空状の内腔部（６１）を形成する金属製又は合成樹脂製の棒状体である縦枠材（２１）及び横枠材（２５）と、縦枠材（２１）の内腔部（６１）に嵌挿される挿入部（１００）と横枠材（２５）の内腔部（６１）に嵌挿される挿入部（１００）とを直交する方向に突出させて有する金属製又は合成樹脂製の角部材（８０）とを組み合わせ、四隅に位置する角部材（８０）の各挿入部（１００）を各々左右の縦枠材（２１）や上下の横枠材（２５）の内腔部（６１）に挿入して矩形の枠体（２０）を形成し、且つ、枠本体部材（３０）の内腔部（６１）にはスピーカー（１４０）を内蔵固定し、更に、周囲に複数のフック（１３１）を有する四角形のスクリーンキャンバス（１３０）を前記フック（１３１）により枠体（２０）に取り付けたプロジェクタ用スクリーン（１０）とするものである。
【０００９】
このように、金属製又は合成樹脂製の棒状体である縦枠材（２１）及び横枠材（２５）と、この縦枠材（２１）と横枠材（２５）とを接続する角部材（８０）とを組み合わせる枠体（２０）は、角部材（８０）の各挿入部（１００）を縦枠材（２１）や横枠材（２５）の内腔部（６１）に挿入することにより簡単に矩形の枠体（２０）を組み立てることができ、周囲にフック（１３１）を備えたスクリーンキャンバス（１３０）を枠体（２０）にフック（１３１）で取り付けることによってプロジェクタ用スクリーン（１０）を容易に組み立てることができる。
【００１０】
このため、プロジェクタ用スクリーン（１０）を分解した状態で移送することができ、屋内への搬入などを容易に行うことができる。
そして、プロジェクタ用スクリーン（１０）の枠体（２０）を形成する枠本体部材（３０）の内部にスピーカー（１４０）を内蔵しているため、発音装置と映像表示画面とを備えることにより、音の聞こえてくる方向と映像の見える方向とが一致した音と映像とを鑑賞することのできる空間を容易に形成することが可能なプロジェクタ用スクリーン（１０）の設置が極めて簡単となる。
【００１１】
更に、本発明としては、縦枠材（２１）及び横枠材（２５）は、その枠本体部材（３０）を前縁板（３１）と内縁板（５１）とによりＬ字状とし、前縁板（３１）の端部又は端部近くから後方に湾曲した外縁部（３５）を備えた断面略コ字状として内腔部（６１）を形成した枠本体部材（３０）とし、枠本体部材（３０）の開口部分を塞ぐ平板状の背面カバー板（７０）とによる直線状の金属製又は合成樹脂製の棒状体とするものである。
【００１２】
このように、前縁板（３１）と内縁板（５１）とでＬ字状とし、更に外縁部（３５）により断面略コ字状とする枠本体部材（３０）と平板状の背面カバー板（７０）とによる直線状の縦枠材（２１）や横枠材（２５）は、押し出し成形によって容易に枠本体部材（３０）や背面カバー板（７０）を製造することができ、中空状の内腔部（６１）を有する金属製又は合成樹脂製であるため、軽量であっても強固な枠体（２０）を有するプロジェクタ用スクリーン（１０）とすることができ、枠本体部材（３０）の内腔部（６１）へのスピーカー（１４０）や適宜のアンプなどの組み込み固定が容易であって、背面カバー板（７０）を枠本体部材（３０）に取り付けることにより、プロジェクタ用スクリーン（１０）の枠体（２０）をスピーカーボックスとして利用することができるものである。
【００１３】
又、縦枠材（２１）及び横枠材（２５）は、その枠本体部材（３０）において、内縁板（５１）よりも枠体（２０）の内側に突出する内縁突出部（５７）を有し、この内縁突出部（５７）の裏面に係合突起（５９）を有するプロジェクタ用スクリーン（１０）とすることが好ましい。
このように、縦枠材（２１）及び横枠材（２５）の内縁板（５１）よりも内方に突出する内縁突出部（５７）の裏面に係合突起（５９）を設ければ、スクリーンキャンバス（１３０）周辺のフック（１３１）を係合突起（５９）に係合させてスクリーンキャンバス（１３０）を枠体（２０）に取り付けることが容易であり、且つ、スクリーンキャンバス（１３０）周辺のフック（１３１）を内縁突出部（５７）の裏面に位置させ、フック（１３１）と係合突起（５９）との係合構造を枠体（２０）の前方から見えなくすることができる。
【００１４】
更に、スクリーンキャンバス（１３０）の周辺に取り付ける各フック（１３１）は、弾性体（１３３）を介して先端に係合部（１３５）を有するフック（１３１）とするものである。
このように、弾性体（１３３）を介して係合部（１３５）を有するフック（１３１）を用いることにより、枠体（２０）に固定するスクリーンキャンバス（１３０）を弛ませることなく枠体（２０）に固定しておき、又、枠体（２０）への取り付けや取り外しを容易とすることができる。
【００１５】
尚、スクリーンキャンバス（１３０）は、布製のスクリーンキャンバス（１３０）とする場合に限るものでなく、半透明の軟質合成樹脂シートを用いることもある。このように、布製や軟質合成樹脂シートは、プロジェクタ用スクリーン（１０）の枠体（２０）から外した状態では、巻き取って棒状とすることにより、縦枠材（２１）と同様に移送及び搬入搬出を行うことができる。
【００１６】
そして、半透明の軟質合成樹脂シートを用いれば、プロジェクタ用スクリーン（１０）の正面から映像を投影する場合に限ることなく、プロジェクタ用スクリーン（１０）の裏面から投影する映像をプロジェクタ用スクリーン（１０）の正面から見ることもできる。
【００１７】
【発明の実施の形態】
本発明に係るプロジェクタ用スクリーン１０の実施の形態は、図１及び図２に示すように、中央のスクリーンキャンバス１３０の周囲にスクリーンフレームとする枠体２０を有するプロジェクタ用スクリーン１０であり、４個の角部材８０と２個の縦枠材２１及び２個の横枠材２５とにより形成される枠体２０にスクリーンキャンバス１３０を取り付け、枠体２０を形成する縦枠材２１や横枠材２５にスピーカーを内蔵するものである。
【００１８】
この枠体２０を形成する縦枠材２１や横枠材２５は、図３及び図４に示すように、平板状の前縁板３１と内縁板５１とでＬ字状をなし、外縁突出部３３を介して前縁板３１の外端近くから前縁板３１の後方へ湾曲するように延設される外縁部３５を備え、外縁部３５の後端近くから内方に突出する後端外壁部５５及び内縁板５１の後端に設けられる後端内壁部５３を有する直線状の枠本体部材３０と、この枠本体部材３０の後端外壁部５５及び後端内壁部５３に設けたビス穴６５に背面カバー板７０のビス貫通孔７３を貫通させたビスをねじ込んで固定する背面カバー板７０により構成しているものである。
【００１９】
そして、枠本体部材３０には前縁板３１の内端近くから前方に一旦突出して湾曲する内縁突出部５７を有し、この内縁突出部５７の裏面には後述するスクリーンキャンバス１３０に取り付けたフック１３１を係合させる係合突起５９を有する断面形状としている。
又、外縁部３５は、外縁前半部３６と外縁後半部３７とにより滑らかな曲面を形成すると共に、外縁前半部３６と外縁後半部３７との間に外縁開口部３８を形成し、溝底壁部４６の両側に溝側壁部４７を形成したコ字状の溝形成壁４５により外縁前半部３６と外縁後半部３７とを接続しつつ、外縁開口部３８よりも幅の広い外縁溝部４１を外縁部３５の内側に形成する断面形状としているものである。
【００２０】
尚、内縁板５１の内腔部６１と反対側の面には、平板状の補助突出板６３を設けている。
そして、この枠本体部材３０は、アルミ合金などの軽金属又は高密度ポリエチレンや繊維強化プラスチックその他エンジニアリングプラスチックなどの強度の高い合成樹脂を押出し成形などにより形成し、縦枠材用としては６０センチメートル乃至１８０センチメートル程度の所定の長さに切断し、又、横枠材用としては約１メートル乃至２メートル余り程度の所定の長さに切断して縦枠材用の枠本体部材３０と横枠材用の枠本体部材３０とするものであり、この枠本体部材３０の後端外壁部５５と後端内壁部５３との間に形成される後端間隙部６２を背面カバー板７０で塞ぐようにして内部に中空の内腔部６１を備えた棒状の縦枠材２１や横枠材２５とするものである。
【００２１】
尚、プロジェクタ用スクリーン１０の投影画面は、６０インチ画面としては縦約９０センチメートルにして横が約１２０センチメートルであり、６０インチ画面では縦約１２０センチメートルにして横約１６０センチメートルであって、１００インチ画面では縦約１５０センチメートルにして横約２００センチメートルとされ、１２０インチ画面では縦約１８０センチメートルにして横約２４０センチメートルとされ、この画面を形成する長さに合わせて縦枠材２１や横枠材２５の長さを決定している。
【００２２】
又、角部材８０は、図２及び図５に示すように、Ｌ字状の外縁角部８１と縁板角部９１とを有し、縁板角部９１の内側に第１内縁角部９６と第２内縁角部９７とによる内角部９５を有すると共に、Ｌ字状の外縁角部８１や縁板角部９１の両端から各々突出する同一形状の挿入部１００を有するものである。
この直交する方向に突出する２つの挿入部１００は、各々縦枠材２１又は横枠材２５の前縁板３１に内接する挿入前板１０１、縦枠材２１又は横枠材２５の溝底壁部４６に内接する挿入外板１０５、縦枠材２１又は横枠材２５の内縁板５１に内接する挿入内板１０３、及び、縦枠材２１又は横枠材２５の後端内壁部５３及び後端外壁部５５に各々内接する挿入内背面板１０８及び挿入外背面板１０９を有し、挿入内背面板１０８と挿入外背面板１０９との間に背面開口部１１１が形成されるものである。
【００２３】
尚、角部材８０の直行する２つの挿入部１００に設けられる背面開口部１１１は、角部材８０の背面においてＬ字状の背面角開口部により連続させているものであり、又、挿入外板１０５の外面には、溝形成壁４５の溝側壁部４７を外側から挟む２枚の挟持片１０６を突出させ、挿入外板１０５の端部からは溝孔１１９を設けている。
又、前記外縁角部８１はＬ字状に形成されるも、その外周断面形状は、縦枠材２１又は横枠材２５の外縁部３５に合わせて湾曲形状とし、外縁溝部４１と同一幅及び同一深さの外縁角溝部８５及び縦枠材２１又は横枠材２５の外縁開口部３８と一致する幅の外縁角開口部８３を有し、外縁角部８１の端面を縦枠材２１又は横枠材２５の端部に突き合わせたとき、外縁溝部４１と外縁角溝部８５とが連続し、外縁開口部３８と外縁角開口部８３とが連続するようにしている。
【００２４】
更に、第１内縁角部９６や第２内縁角部９７の突出形状は、縦枠材２１や横枠材２５の内縁突出部５７の突出形状に一致させるものである。
そして、角部材８０は２つの挿入部１００の挿入外背面板１０８及び挿入内背面板１０９の間に設けた両背面開口部１１１を接続するＬ字状の背面角開口部を有するも、この背面角開口部は、Ｌ字状の平板であってビス貫通穴７３を有する背面角カバー板１２０を角部材８０にビス止めすることによって塞ぐものである。
【００２５】
尚、この角部材８０はアルミ合金などの軽金属や強度の高い合成樹脂を射出成形などにより成形製造するものである。
更に、この角部材８０の空間部１１５には、図６に示すように、係止ピン１２５を固定ボルト１２９により固定している。
この係止ピン１２５は、鋼などの弾力性を有する金属を用い、角部材８０の中央から両側に伸びるアーム部１２６を供え、両アーム部１２６の先端には、挿入外板１０５の端部から切り込むように設けた溝孔１１９を貫通して先端が各々挿入外板１０５の外表面から僅かに突出する係止先端１２７を有するものである。
【００２６】
従って、この挿入部１００を縦枠材２１又は横枠材２５の内腔部６１に挿入すれば、図６に示したように、係止ピン１２５の係止先端１２７を縦枠材２１又は横枠材２５の溝底壁部４６に設けた係止穴に係合させ、縦枠材２１又は横枠材２５を角部材８０に固定することができる。
又、図６に示したように係止ピン１２５を固定ボルト１２９により固定しておき、アーム部１２６の長さと縦枠材２１や横枠材２５の溝底壁部４６に設ける係止穴の位置とを整合させ、縦枠材２１や横枠材２５を角部材８０と組み合わせるに際して角部材８０の挿入部１００に各々縦枠材２１と横枠材２５との所定位置まで押し込んだときに係止先端１２７が係止穴と係合するようにしておく場合のみでなく、角部材８０の両挿入部１００を縦枠材２１や横枠材２５に挿入して角部材８０と縦枠材２１及び横枠材２５とを所定の結合状態とし、図７に示すように、係止ピン１２５の両端に形成した係止先端１２７を各々縦枠材２１及び横枠材２５の溝底壁部４６に設けた係止穴に係合させ、固定ボルト１２９により係止ピン１２５の中央を外縁角溝部８５の内側に接近させるようにして縦枠材２１や横枠材２５を引っ張るようにして角部材８０に縦枠材２１や横枠材２５を固定することもある。
【００２７】
この場合は、固定ボルト１２９を締め上げた後、適宜、内腔部６１や空間部１１５を利用して後述するスピーカー１４０の配線等を行い、背面カバー板７０や背面角カバー板１２０を取り付けて内腔部６１や空間部１１５の背面を塞ぐようにするものである。
このようにして、角部材８０の２つの挿入部１００に各々縦枠材２１と横枠材２５とを固定し、４個の角部材８０を４隅に位置させて左右両側に各々縦枠材２１を位置させると共に上下に各々横枠材２５を位置させるようにして、２本の縦枠材２１及び２本の横枠材２５と４個の角部材８０により図１に示したように横長四角形の枠体２０とするものである。
【００２８】
又、角部材８０としては、図８に示すように、外縁角溝部や縁板角部及び内角部を設けることなく、２つの挿入部１００を直角に交わるように形成し、縦枠材２１や横枠材２５はその端部を縦枠材２１や横枠材２５の軸方向に対して４５度の角度に切断するものとし、挿入部１００を各々縦枠材２１や横枠材２５の内腔部６１に挿入して縦枠材２１の端部と横枠材２５の端部とを直接密着させ、縦枠材２１や横枠材２５の溝底壁部４６に設けた係止穴を貫通させるビス又はボルトにより縦枠材２１や横枠材２５を角部材８０に固定することもある。
【００２９】
更に、図９に示すように、直角に交わる２つの挿入部１００の角部外縁に丸味を持たせるように外縁角部８１を形成し、縦枠材２１と横枠材２５との接合端部に形成される間隙を埋めるように縁板角部９１と内角部９５とを形成した角部材８０とし、縦枠材２１や横枠材２５の溝底壁部４６に設けた係止穴を貫通させるビス又はボルトにより縦枠材２１や横枠材２５を角部材８０に固定することもある。
【００３０】
そして、この図９に示す角部材８０は、挿入部１００を主として挿入前板１０１と挿入内板１０３や挿入外板１０５及び挿入背面板１０７により形成し、縦枠材２１の内腔部６１と横枠材２５の内腔部６１とを空間部１１５により接続しつつ、図５に示した角部材８０の如く背面角カバー板１２０を用いずに縦枠材２１や横枠材２５の内腔部６１が角部材８０の位置で外部に開口することがないようにしている。
【００３１】
尚、挿入背面板１０７は、図５に示した角部材８０の如く、挿入内背面板１０８と挿入外背面板１０９として挿入部１００には背面開口部１１１を形成しておき、縦枠材２１や横枠材２５の背面カバー板７０により背面開口部１１１を塞ぐこともある。
そして、図６及び図７に示した角部材８０においても、係止ピン１２５を用いて角部材８０と縦枠材２１や横枠材２５とを固定する場合に限るものでなく、ビスやボルトなどを用い、角部材８０の挿入部１００を縦枠材２１や横枠材２５の内腔部６１に挿入した後、適宜、挿入前板１０１を前縁板３１に、又は、挿入内板１０３や挿入外板１０５を内縁板５１や溝底壁部４６に固定するようにすることもある。
【００３２】
更に、この縦枠材２１や横枠材２５の枠本体部材３０の内腔部６１には、図１０に示すように、スピーカー１４０を設けるものである。
このスピーカー１４０の取り付けは、枠本体部材３０の前縁板３１にスピーカー１４０に合わせた透孔であるスピーカー穴１４５を形成し、スピーカー１４０の正面には保護布を設けたスピーカー固定板１４１をビスにより前縁板３１に固定することによってスピーカー１４０を縦枠材２１又は横枠材２５の内腔部６１に収納するように固定するものである。
【００３３】
このように、プロジェクタ用スクリーン１０の周囲を形成する枠体２０の内部にスピーカー１４０を取り付けるように内腔部６１の空間を利用するため、枠体２０をスピーカーボックスとし、スピーカー１４０の出力容量に対して充分に大きな空間のスピーカーボックスを形成することとなり、音質を高めることも容易となる。
そして、この内腔部６１には、図示を省略しているも、適宜、スピーカー用のアンプを収納し、内腔部６１内で配線を行うものであり、必要に応じて内腔部６１に間仕切りを設けて内腔部６１の空間を区切ることもある。
【００３４】
尚、図１及び図２に示したプロジェクタ用スクリーン１０は、１本の横枠材２５の左右にスピーカー１４０を内蔵させているものであり、この横枠材２５にスピーカー用アンプを収納するようにしているも、左右の縦枠材２１に各々スピーカー１４０とアンプとを収納する場合や、横枠材２５にアンプを収納し、左右の縦枠材２１にスピーカー１４０を収納する場合などもある。
【００３５】
更に、重低音用の大型スピーカー１４３を有するプロジェクタ用スクリーン１０とする場合は、図１１に示すように、枠体２０に補助フレーム１５０を取り付け、この補助フレーム１５０にスピーカーボックス１６０や出力アンプ１４９を取り付けることがある。
この補助フレーム１５０は、図１２に示すように、枠本体部材３０に形成した補助突出板６３にその両端をビス又はボルトとナットにより固定するものであり、スピーカーボックス１６０は、低音用の大型スピーカー１４３をプロジェクタ用スクリーン１０の前方に向けるも、低音用の大型スピーカー１４３の前方に間隙を形成しつつ大型スピーカー１４３の前方を塞ぐようにしてスピーカーボックス１６０に収納し、スピーカーボックス１６０の上方などの側方に開口部を形成して大型スピーカー１４３からの音をスピーカーボックス１６０の側方に流すようにするものである。
【００３６】
尚、低音用の大型スピーカー１４３はプロジェクタ用スクリーン１０の後方に向けるようにして側方に開口部を有するスピーカーボックス１６０に収納することもある。
そして、この縦枠材２１の長さよりも僅かに長い縦の長さを有し、且つ、横枠材２５の長さよりも僅かに長い横の長さを有する長方形の布地であって、図１３に示すように、先端に鈎状の係合部１３５を有し且つ中間に弾性体１３３を備えた複数のフック１３１を、補強環１３８により補強されたスクリーンキャンバス１３０の周辺に設けられた各取付穴１３７に各々取り付け、表面を白色又は銀白色にスクリーン加工したスクリーンキャンバス１３０をこのフック１３１によって前述の枠体２０に取り付けるものである。
【００３７】
このスクリーンキャンバス１３０の取り付けは、図１４に示すように、スクリーンキャンバス１３０の周囲に設けられているフック１３１の係合部１３５を縦枠材２１や横枠材２５の内縁突出部５７の内側に形成されている係合突起５９に引っ掛けるようにして枠体２０であるスクリーンフレームに取り付けるものである。
尚、図１３に示すフック１３１は、鋼線を図面に示した弦巻状とする場合や鋸歯状として弾性変形が可能な形状に加工した弾性体１３３とし、この鋼線の先端を鈎状に折り曲げて形成した係合部１３５とを有する形状としているも、鋼線を曲げ加工して弾性体１３３と係合部１３５とを形成する場合のみでなく、平板状のゴム板を弾性体とし、このゴム板の両側に鈎状の係合部を有し、一方の係合部をもって取付穴１３７に取り付けたフック１３１とすることもある。
【００３８】
又、スクリーンキャンバス１３０としては、布地表面にスクリーン加工を施したものに限ることなく、半透明の軟質合成樹脂製のシートを用いることもある。
この半透明の軟質合成樹脂製のシートとしては、軟質塩化ビニールに拡散剤を練り込んだビニールシートを用いる場合、軟質塩化ビニールシートに拡散剤を塗布したものなどを用いることができ、この軟質合成樹脂製のシートの周辺を折り返して補強すると共に、折り返し部に補強環１３８を固定してフック１３１を取り付けるものである。
【００３９】
そして、このプロジェクタ用スクリーン１０を設置する補助具としては、図１５に示す吊り金具１７０や図１６に示す支柱１９０を用いるものである。
この吊り金具１７０は、吊り穴１７３と透通孔１７５とを有するＬ字状の吊り具１７１と雄ネジ１８３を備えた止め板１８１とを組み合わせたものであり、止め板１８１を横枠材２５の外縁溝部４１に挿入し、外縁開口部３８から突出させた雄ネジ１８３を吊り具１７１の透通孔１７５を貫通させて締めナット１８５により吊り金具１７０を横枠材２５に固定し、吊り穴１７３を用いてプロジェクタ用スクリーン１０を適宜吊り下げるようにするものである。
【００４０】
又、支柱１９０は、適宜貫通孔１９３を設けた支柱板１９１の下端に適宜の台座部１９５を有するものであり、雄ネジ１８３を有する止め板１８１を縦枠材２１の外縁溝部４１に挿入し、外縁開口部３８から突出する雄ネジ１８３を支柱板１９１の貫通孔１９３に貫通させ、締めナット１８５により締め付けて縦枠材２１を支柱板１９１に固定するものである。
尚、図１及び図２に示した枠体２０は、２本の横枠材２５を用いて構成しているも、幅が２メートルを超えるプロジェクタ用スクリーン１０では、図１７に示すように、上下の横枠材２５を各々２本に分割し、継ぎ手２３を用いて１本の横枠材２５とすることもある。
【００４１】
この継ぎ手２３は、角部材８０の挿入部１００と同様に横枠材２５の空腔部６１に嵌入されて２本の横枠材２５を接続するものである。
このように、本発明に係るプロジェクタ用スクリーン１０の実施の形態は、前縁板３１や内縁板５１及び外縁部３５により断面略コ字状とされる枠本体部材３０と背面カバー板７０とで中空とする内腔部６１を形成する直線状の縦枠材２１や横枠材２５と角部材８０とにより矩形の枠体２０とするものであって、縦枠材２１や横枠材２５及び角部材８０は中空の金属製とするため、軽量にして強固な枠体２０とすることができるものである。
【００４２】
そして、この縦枠材２１や横枠材２５の枠本体部材３０は、押し出し成形などにより製造が容易であり、枠体２０は、角部材８０の挿入部１００を縦枠材２１や横枠材２５の内腔部６１に挿入することにより組み立てを極めて簡単に行うことができるものである。
又、このプロジェクタ用スクリーン１０は、組み立て容易な枠体２０にスクリーンキャンバス１３０の周囲に設けられているフック１３１を引っ掛けるようにして組み立てることができ、プロジェクタ用スクリーン１０の組み立てが容易であるとともに、スクリーンキャンバス１３０の交換も極めて簡単に行うことができるものである。
【００４３】
そして、スクリーンキャンバス１３０に半透明の軟質合成樹脂シートを用いた場合は、プロジェクタ用スクリーン１０の正面から映像を投影する場合に限ることなく、プロジェクタ用スクリーン１０の裏面から投影された映像をプロジェクタ用スクリーン１０の正面から観賞することができ、画像の中の一部を指し示して説明を行う場合など、説明者の腕や身体の一部によって画像に影を生じさせることなく画像の説明を行うことができる。
【００４４】
尚、前述の実施の形態では、内縁突出部５７を前縁板３１の内側端部近くから枠体２０の内方に突出させているも、係合突起５９を裏面に有する内縁突出部５７は、内縁板５１から枠体２０の内方に突出させることもある。
更に、係合突起５９を有する内縁突出部５７や補助突出板６３を省略し、背面カバー板７０に係合突起５９を突出させて設ける断面形状の背面カバー板とし、この背面カバー板を押し出し成形などにより形成して枠本体部材３０に背面カバー板を取り付け、枠体２０の背面に係合突起５９を設けた縦枠材２１や横枠材２５としてスクリーンキャンバス１３０の周囲に設けられているフック１３１を係合させることもある。
【００４５】
従って、このプロジェクタ用スクリーン１０は、金属製又は合成樹脂製とされる枠体２０のフレームを周囲に有し、投影部分が布製又は軟質合成樹脂シートの平面であり、軽量にして全体の組み立てが極めて容易であって、音と映像とを十分に楽しむことができる見栄えの良いプロジェクタ用スクリーン１０とすることができる。
【００４６】
そして、このプロジェクタ用スクリーン１０は、音響設備であるスピーカー１４０と映像を投影するスクリーンキャンバス１３０とを一体としただけでなく、内腔部６１を有する枠体２０の内部にスピーカー１４０を配置しているため、スクリーンキャンバス１３０の上下左右に自由に複数個のスピーカー１４０を配置することができると共に、スピーカー１４０の収納空間の容積をスピーカー１４０の容量に比較して充分に大きくし、音質の良い音場を形成することができ、又、布製のスクリーンキャンバス１３０を使用する場合は必要に応じてスクリーンキャンバス１３０の裏面に低音用の大型スピーカー１４３を配置することも容易なプロジェクタ用スクリーン１０であって、スピーカー１４０がスクリーンキャンバス１３０の直近又は直近と裏面とに配置されるため、映像と映像に映し出されたものが発する音の聞こえてくる方向が一致し、視覚と聴覚との方向感覚にずれがなく、自然な臨場感で音と映像とを一体として楽しむことができる。
【００４７】
又、このプロジェクタ用スクリーン１０は、枠体２０の外周である外縁部３５に外縁溝部４１及び外縁溝部４１よりも幅の狭い外縁開口部３８を有しているため、補助具を用いて吊り下げ、又は支柱によって立てて置くなどして設置を極めて容易に行うことができるものである。
尚、縦枠材２１や横枠材２５の外縁部３５に外縁溝部４１や外縁開口部３８を設けることなく、外縁部３５に適宜のボルト穴を設け、吊り金具１７０や支柱１９０と外縁部３５のボルト穴とを貫通するボルトにより、プロジェクタ用スクリーン１０の枠体２０に吊り金具１７０や支柱１９０を取り付けることもある。
【００４８】
尤も、ボルト穴でなく、外縁溝部４１や外縁開口部３８を備えた枠本体部材３０は、押し出し成形の後に穴加工を行う必要がなく、量産性に優れ且つ補助具の取付が容易なプロジェクタ用スクリーン１０の枠体２０とすることができるものである。
【００４９】
【発明の効果】
請求項１に記載した本発明は、スピーカーを内蔵したプロジェクタ用スクリーンであるため、組み立てが極めて容易であり、屋内の設置場所に分解した状態で移送することができるプロジェクタ用スクリーンであって、入口の狭い室内への設置が容易であると共に、音と映像とを鑑賞する空間を形成する準備が極めて簡単であり、スピーカーとスクリーンが一体であるため、室内の空間を有効に利用することもでき、スクリーンキャンバスが汚れたり又は破損した場合にもスクリーンキャンバスの交換を容易に行うことができる利点を有すると共に、音と映像との一体感を楽しませることができるプロジェクタ用スクリーンを提供することができる。
【００５０】
又、請求項２に記載した本発明は、請求項１に記載した発明の効果に加え、縦枠材や横枠材の製造及びスピーカーの組み込みが容易であり、組み立て容易なプロジェクタ用スクリーンの量産を容易に行うことができるものである。
更に、請求項３に記載した本発明は、請求項１及び請求項２に記載した発明の効果に加え、プロジェクタ用スクリーンの見栄えを良くし、臨場感などの雰囲気を損なうおそれの少ないプロジェクタ用スクリーンとすることができるものである。
【００５１】
そして、請求項４に記載した本発明は、請求項１乃至請求項３に記載した発明の効果に加え、組み立てが容易であると共に、投影平面となるスクリーンキャンバスに歪みを生じさせることなく綺麗な映像を映し出すことができるプロジェクタ用スクリーンとすることができるものである。
又、請求項５に記載した本発明は、請求項１乃至請求項４に記載した発明の効果に加え、プロジェクタ用スクリーンの裏面から投影した映像もプロジェクタ用スクリーンの正面から見ることができるものである。
【図面の簡単な説明】
【図１】本発明に係るプロジェクタ用スクリーンの正面図。
【図２】本発明に係るプロジェクタ用スクリーンの分解正面図。
【図３】本発明に係るプロジェクタ用スクリーンの縦枠材及び横枠材の断面図。
【図４】本発明に係るプロジェクタ用スクリーンの縦枠材及び横枠材の斜視図。
【図５】本発明に係るプロジェクタ用スクリーンの角部材の斜視図。
【図６】本発明に係るプロジェクタ用スクリーンの角部材による固定状態を示す断面図。
【図７】本発明に係るプロジェクタ用スクリーンの角部材による他の固定状態を示す断面図。
【図８】本発明に係るプロジェクタ用スクリーンの角部材の他の実施の形態を示す断面図。
【図９】本発明に係るプロジェクタ用スクリーンの角部材の更に他の実施の形態を示す断面図。
【図１０】本発明に係るプロジェクタ用スクリーンの縦部材又は横部材にスピーカーを内蔵する状態を示す図。
【図１１】本発明に係るプロジェクタ用スクリーンの枠体の他の実施の形態を示す図。
【図１２】本発明に係るプロジェクタ用スクリーンに用いる大型スピーカー用スピーカーボックスを示す図。
【図１３】本発明に係るプロジェクタ用スクリーンのスクリーンキャンバスの部分拡大図。
【図１４】本発明に係るプロジェクタ用スクリーンのスクリーンキャンバスの取り付け状態を示す図。
【図１５】本発明に係るプロジェクタ用スクリーンに使用する補助具を示す図。
【図１６】本発明に係るプロジェクタ用スクリーンに使用する他の補助具を示す図。
【図１７】本発明に係るプロジェクタ用スクリーンの横枠材の他の実施の形態を示す図。
【符号の説明】
１０　プロジェクタ用スクリーン
２０　枠体
２１　縦枠材　　　　　　　　　　　　２３　継ぎ手
２５　横枠材
３０　枠本体部
３１　前縁板　　　　　　　　　　　　３３　外縁突出部
３５　外縁部　　　　　　　　　　　　３６　外縁前半部
３７　外縁後半部　　　　　　　　　　３８　外縁開口部
４１　外縁溝部　　　　　　　　　　　４５　溝形成壁
４６　溝底壁部　　　　　　　　　　　４７　溝側壁部
５１　内縁板　　　　　　　　　　　　５３　後端内壁部
５５　後端外壁部　　　　　　　　　　５７　内縁突出部
５９　係合突起　　　　　　　　　　　６１　内腔部
６２　後端間隙部　　　　　　　　　　６３　補助突出板
６５　ビス穴　　　　　　　　　　　　７０　背面カバー板
７３　ビス貫通孔
８０　角部材
８１　外縁角部　　　　　　　　　　　８３　外縁角開口部
８５　外縁角溝部　　　　　　　　　　９１　縁板角部
９５　内角部　　　　　　　　　　　　９６　第１内縁角部
９７　第２内縁角部
１００　挿入部　　　　　　　　　　　１０１　挿入前板
１０３　挿入内板　　　　　　　　　　１０５　挿入外板
１０６　挟持片　　　　　　　　　　　１０７　挿入背面板
１０８　挿入外背面板　　　　　　　　１０９　挿入内背面板
１１１　背面開口部　　　　　　　　　１１５　空間部
１１９　透孔　　　　　　　　　　　　１２０　背面角カバー板
１２５　係止ピン　　　　　　　　　　１２６　アーム部
１２７　係止先端　　　　　　　　　　１２９　固定ボルト
１３０　スクリーンキャンバス
１３１　フック　　　　　　　　　　　１３３　弾性体
１３５　係合部　　　　　　　　　　　１３７　取付穴
１３８　補強環
１４０　スピーカー　　　　　　　　　１４１　スピーカー固定板
１４３　大型スピーカー　　　　　　　１４５　スピーカー穴
１４９　出力アンプ
１５０　補助フレーム
１６０　スピーカーボックス　　　　　１６３　開口部
１７０　吊り金具　　　　　　　　　　１７１　吊り具
１７３　吊り穴　　　　　　　　　　　１７５　透通孔
１８１　止め板　　　　　　　　　　　１８３　雄ネジ
１８５　締めナット
１９０　支柱　　　　　　　　　　　　１９１　支柱板
１９３　貫通孔　　　　　　　　　　　１９５　台座部
【図１】
2004077737.tif 000003
【図２】
2004077737.tif 000004
【図３】
2004077737.tif 000005
【図４】
2004077737.tif 000006
【図５】
2004077737.tif 000007
【図６】
2004077737.tif 000008
【図７】
2004077737.tif 000009
【図８】
2004077737.tif 000010
【図９】
2004077737.tif 000011
【図１０】
2004077737.tif 000012
【図１１】
2004077737.tif 000013
【図１２】
2004077737.tif 000014
【図１３】
2004077737.tif 000015
【図１４】
2004077737.tif 000016
【図１５】
2004077737.tif 000017
【図１６】
2004077737.tif 000018
【図１７】
2004077737.tif 000019